(57)【要約】【課題】  監視制御システムで用いる複数の機能端末の実際の物理的配置に対応したアイコンを画面上に表示した場合に、アイコンと機能端末のアドレスとの対応付けを容易に行うことができる端末アドレス割付システムを提供する。【解決手段】  アドレス割付システムにおいて、各照明端末Ｂには固有のアドレスが予め設定されており、監視サーバＡは、タイマ部ａ７が監視サーバＡと各照明端末Ｂとの間の制御線Ｗを介した通信時間を計測し、監視制御部ａ３は、各照明端末Ｂの実際の物理的配置に対応させて複数のアイコンを配置したマップ上で制御線Ｗの配設形態を特定し、さらに、マップ上で特定された配線パターンと、マップ上における各アイコンの物理的配置と、各照明端末Ｂの通信時間とに基づいて、各照明端末Ｂに対応するアイコンを特定し、対応する照明端末Ｂのアドレスを各アイコンに割り付ける。【選択図】図１
2009177743.tif 000002
【特許請求の範囲】
【請求項１】
一方向の両端で折り返しながら当該一方向に略直交する他方向に向かって配設された制御線に沿って配置されて当該制御線で送り配線されるとともに、固有のアドレスが各々設定された複数の機能端末と、各機能端末との間で制御線を介して通信を行うことで各機能端末の監視制御を行う監視制御手段と、各機能端末の実際の物理的配置に対応させて複数のアイコンを配置したマップを表示する表示部を具備して、対応する機能端末のアドレスを割り付けたアイコンが表示部で操作されることによって、当該アイコンに対応した機能端末に対する監視制御を監視制御手段を介して行うクライアント端末とを備えた監視制御システムに用いられ、対応する機能端末のアドレスを各アイコンに割り付けるアドレス割付システムにおいて、
各機能端末には固有のアドレスが予め設定されており、
監視制御手段と各機能端末との間の制御線を介した通信時間を計測する通信時間計測手段と、
制御線の配設形態の前記一方向および他方向をマップ上で特定する配線パターン特定手段と、
マップ上で特定された配線パターンと、マップ上における各アイコンの物理的配置と、各機能端末の通信時間とに基づいて、各機能端末に対応するアイコンを特定し、対応する機能端末のアドレスを各アイコンに割り付けるアドレス割付手段とを備える
ことを特徴とする端末アドレス割付システム。
【請求項２】
前記複数のアイコンのうち、前記監視制御手段との間で制御線の長さが最も短い第１の機能端末に対応する第１のアイコンに第１の機能端末のアドレスを割り付け、さらに前記マップ上で第１のアイコンとの物理的配置が最も近い第２のアイコンに対応する第２の機能端末のアドレスを割り付けるアイコン初期設定手段を備え、
前記配線パターン特定手段は、第１，第２の機能端末の通信時間および他の機能端末の通信時間と、マップ上における各アイコンの物理的配置とに基づいて、制御線の配設形態の前記一方向および他方向をマップ上で特定する
ことを特徴とする請求項１記載の端末アドレス割付システム。
【発明の詳細な説明】
【技術分野】
【０００１】
本発明は、端末アドレス割付システムに関するものである。
【背景技術】
【０００２】
従来、照明や空調等の各種機能を有する機能端末を監視制御するシステムがある。例えば、図１６に示すような照明監視制御システムがあり、１乃至複数の監視サーバＤの下位には制御線Ｗを介して複数の照明端末Ｂが各々接続しており、各監視サーバＤおよび各照明端末Ｂには固有のアドレスが割り付けられて、監視サーバＤは各照明端末Ｂとの間でアドレスを用いた通信を行うことで、各照明端末Ｂの状態（点灯／消灯）の監視制御を行っている。（例えば、特許文献１参照）。
【０００３】
また、各監視サーバＣはウェブサーバ機能を有しており、ネットワークＮＴを介して上位に接続された汎用のパーソナルコンピュータ等のブラウザ機能を有するクライアント端末Ｅが各監視サーバＤにアクセスして、ブラウザ画面上で当該監視サーバＤの配下の照明端末Ｂの状態を監視制御することができる。
【０００４】
クライアント端末Ｅは、ブラウザ機能によって図１７に示す監視制御範囲のフロアの見取り図をブラウザ画面に生成し、見取り図上の各照明端末Ｂの実際の物理的配置に対応した位置に照明アイコンＩＣが配置されたマップＭ１０を表示する。そして、クライアント端末Ｅでは、各照明アイコンＩＣと対応する照明端末Ｂのアドレスとの対応付けが為されており、ユーザは、マップＭ１０上の照明アイコンＩＣをクリックすることで、クライアント端末Ｅから監視サーバＤへ監視制御対象の照明端末Ｂの状態を点灯／消灯させる点灯／消灯信号を送信し、監視サーバＤは受信した点灯／消灯信号に基づいて、監視制御対象の照明端末Ｂを点灯／消灯する。さらに、点灯／消灯制御された照明端末Ｂは自己の状態（点灯／消灯）を示す状態信号を監視サーバＤへ送信し、監視サーバＤは、当該照明端末Ｂの状態を示す監視信号をクライアント端末Ｅへ送信する。すなわち、クライアント端末Ｅは、どの照明アイコンＩＣをクリックしたら、どの照明端末Ｂの状態を監視制御するかを把握している。
【０００５】
従来、クライアント端末Ｅにおける照明アイコンＩＣと照明端末Ｂのアドレスとの対応付けは、システムの運用開始時にユーザがクライアント端末Ｅのブラウザ機能によって設定しており、ブラウザ画面上の各照明アイコンＩＣをクリックすることで表示される図１８のようなアドレス設定画面Ｇ１を用いて、各照明アイコンＩＣに対応する照明端末Ｂのアドレスを手動で割り付けていた。
【特許文献１】特開２００４−６３２２８号公報
【発明の開示】
【発明が解決しようとする課題】
【０００６】
しかしながら、上記従来の照明監視制御システムでは、クライアント端末Ｅのブラウザ画面上に表示されている照明アイコンＩＣの１つ１つに対して、対応する照明端末Ｂのアドレスを手動で設定しなければならず、照明端末Ｂの台数が多い監視制御範囲（建物、フロア等）では、アドレスの割り付け作業に多くの時間を費やし、手間がかかっていた。
【０００７】
本発明は、上記事由に鑑みてなされたものであり、その目的は、監視制御システムで用いる複数の機能端末の実際の物理的配置に対応したアイコンを表示部に表示した場合に、アイコンと機能端末のアドレスとの対応付けを容易に行うことができる端末アドレス割付システムを提供することにある。
【課題を解決するための手段】
【０００８】
請求項１の発明は、一方向の両端で折り返しながら当該一方向に略直交する他方向に向かって配設された制御線に沿って配置されて当該制御線で送り配線されるとともに、固有のアドレスが各々設定された複数の機能端末と、各機能端末との間で制御線を介して通信を行うことで各機能端末の監視制御を行う監視制御手段と、各機能端末の実際の物理的配置に対応させて複数のアイコンを配置したマップを表示する表示部を具備して、対応する機能端末のアドレスを割り付けたアイコンが表示部で操作されることによって、当該アイコンに対応した機能端末に対する監視制御を監視制御手段を介して行うクライアント端末とを備えた監視制御システムに用いられ、対応する機能端末のアドレスを各アイコンに割り付けるアドレス割付システムにおいて、各機能端末には固有のアドレスが予め設定されており、監視制御手段と各機能端末との間の制御線を介した通信時間を計測する通信時間計測手段と、制御線の配設形態の前記一方向および他方向をマップ上で特定する配線パターン特定手段と、マップ上で特定された配線パターンと、マップ上における各アイコンの物理的配置と、各機能端末の通信時間とに基づいて、各機能端末に対応するアイコンを特定し、対応する機能端末のアドレスを各アイコンに割り付けるアドレス割付手段とを備えることを特徴とする。
【０００９】
この発明によれば、マップ上で特定された配線パターンと、マップ上における各アイコンの物理的配置と、各機能端末の通信時間とに基づいて、複数の機能端末の実際の物理的配置に対応して表示部に表示されたアイコンと機能端末のアドレスとの対応付けを容易に行うことができる。
【００１０】
請求項２の発明は、請求項１において、前記複数のアイコンのうち、前記監視制御手段との間で制御線の長さが最も短い第１の機能端末に対応する第１のアイコンに第１の機能端末のアドレスを割り付け、さらに前記マップ上で第１のアイコンとの物理的配置が最も近い第２のアイコンに対応する第２の機能端末のアドレスを割り付けるアイコン初期設定手段を備え、前記配線パターン特定手段は、第１，第２の機能端末の通信時間および他の機能端末の通信時間と、マップ上における各アイコンの物理的配置とに基づいて、制御線の配設形態の前記一方向および他方向をマップ上で特定することを特徴とする。
【００１１】
この発明によれば、配線パターンを少ない手間で特定することができる。
【発明の効果】
【００１２】
以上説明したように、本発明では、監視制御システムで用いる複数の機能端末の実際の物理的配置に対応したアイコンを表示部に表示した場合に、アイコンと機能端末のアドレスとの対応付けを容易に行うことができるという効果がある。
【発明を実施するための最良の形態】
【００１３】
以下、本発明の実施の形態を図面に基づいて説明する。
【００１４】
（実施形態）
図１は、照明監視制御システムに用いられる本実施形態の端末アドレス割付システムの構成を示し、１乃至複数の監視サーバＡ（監視制御手段）の下位には制御線Ｗを介して複数の照明端末Ｂ（機能端末）が各々接続しており、各監視サーバＡおよび各照明端末Ｂには固有のアドレスが設定されて、監視制御端末Ａは各照明端末Ｂとの間でアドレスを用いた通信を行うことで、各照明端末Ｂの状態（点灯／消灯）の監視制御を行っている。
【００１５】
また、各監視サーバＡは、送受信部ａ１と、データ生成部ａ２と、監視制御部ａ３と、端末装置状態制御部ａ４と、端末装置状態取得部ａ５と、監視状態記憶部ａ６と、タイマ部ａ７と、設定情報記憶部ａ８，ａ９とで構成されるとともに、ウェブサーバ機能を有しており、ネットワークＮＴを介して上位に接続された汎用のパーソナルコンピュータ等のブラウザ機能を有するクライアント端末Ｃが各監視サーバＡにアクセスして、クライアント端末Ｃの表示部ｃａ上のブラウザ画面で当該監視サーバＡの配下の照明端末Ｂの状態を監視制御することができる。
【００１６】
クライアント端末Ｃは、ブラウザ機能によって表示部ｃａ上のブラウザ画面に図２に示す監視制御範囲のフロアの見取り図を生成し、各照明端末Ｂの実際の物理的配置に対応した見取り図上の位置に複数の照明アイコンＩＣが配置されたマップＭ１を表示しており、各照明アイコンＩＣにはアイコン番号ＩＣ００１〜ＩＣ０１６が各々設定されている（以後、特定の照明アイコンＩＣを示すときは、アイコン番号を付す）。そして、クライアント端末Ｃでは、照明アイコンＩＣのアイコン番号と照明端末Ｂのアドレスとの対応付けが為されており、ユーザによって、マップＭ１上における監視制御対象の照明アイコンＩＣがクリックされることで、クライアント端末Ｃから監視サーバＡへ監視制御対象の照明端末Ｂを点灯／消灯させる点灯／消灯信号がネットワークＮＴを介して送信される。
【００１７】
監視サーバＡは、送受信部ａ１がクライアント端末Ｃから点灯／消灯信号を受信すると、データ生成部ａ２が照明端末Ｂの状態制御のためのデータを生成し、監視制御部ａ３に引き渡す。監視制御部ａ３は、受け取ったデータに基づいて端末装置状態制御部ａ４から、監視制御対象の照明端末Ｂへ制御線Ｗを介して制御信号を送信して当該照明端末Ｂを点灯／消灯する。
【００１８】
点灯／消灯制御された監視制御対象の照明端末Ｂは、自己の状態（点灯／消灯）を示す状態信号を監視サーバＡへ制御線Ｗを介して送信する。監視サーバＡは、端末装置状態取得部ａ５が照明端末Ｂから状態信号を受信すると、監視制御対象の照明端末Ｂの状態を監視状態記憶部ａ６に保存し、さらに監視制御部ａ３は、監視状態記憶部ａ６を参照して当該照明端末Ｂの状態を示す監視信号を送受信部ａ１からネットワークＮＴを介してクライアント端末Ｃへ送信する。
【００１９】
クライアント端末Ｃは、監視サーバＡから受信した監視信号に基づいて、監視制御対象の照明端末Ｂに対応する照明アイコンＩＣを、消灯状態であれば図３（ａ）に示すように消灯を表すデザインでマップＭ１上に表示し、点灯状態であれば図３（ｂ）に示すように点灯を表すデザインでマップＭ１上に表示する。
【００２０】
このように、クライアント端末Ｃは、マップＭ１上でどの照明アイコンＩＣをクリックしたら、どの照明端末Ｂの状態を監視制御するかを把握する必要があり、上記照明アイコンＩＣを用いた照明端末Ｂの監視制御に必要な照明アイコンＩＣと照明端末Ｂのアドレスとの対応付け処理について、以下説明する。
【００２１】
なお、本発明は、標準的な配線パターンを前提とするため、図４（ａ）に示すように、フロア内でＹ方向の両端で折り返しながらＹ方向に直交するＸ方向に向かって配設された制御線Ｗに沿って複数の照明端末Ｂが配置され、各照明端末Ｂ間を制御線Ｗで送り配線し、制御線Ｗの一端に監視サーバＡを接続した縦配線、または図４（ｂ）に示すように、フロア内でＸ方向の両端で折り返しながらＸ方向に直交するＹ方向に向かって配設された制御線Ｗに沿って複数の照明端末Ｂが配置され、各照明端末Ｂ間を制御線Ｗで送り配線し、制御線Ｗの一端に監視サーバＡを接続した横配線を施された照明監視制御システムに用いられる端末アドレス割付システムである。
【００２２】
まず、ユーザがクライアント端末Ｃを操作してアドレス割付モードに設定すると、割付モード設定信号がクライアント端末ＣからネットワークＮＴを介して監視サーバＡへ送信され、監視サーバＡは自己の動作をアドレス割付モードに設定する。
【００２３】
次に、ユーザは、クライアント端末Ｃの表示部ｃａ上のブラウザ画面に表示された図２に示すマップＭ１を見ながら、クライアント端末Ｃを操作して基準アイコンを設定する。基準アイコンとは、マップＭ１上のＸ座標、Ｙ座標がともに最も小さい位置に配置され、監視サーバＡとの間で制御線Ｗの長さが最も短い照明端末Ｂに対応する照明アイコンＩＣである。図２では、マップＭ１上において監視サーバ４が接続される配線Ｗの一端側が位置する左上隅を［Ｘ，Ｙ］座標の原点Ｏとしており、基準アイコンとして、原点ＯからのＸ方向の距離およびＹ方向の距離がともに最も短い照明アイコンＩＣ０１１を選択し、この基準アイコンＩＣ０１１に対応する照明端末Ｂのアドレス［０９２］を照明アイコンＩＣ０１１に割り付ける。
【００２４】
次にユーザは、クライアント端末Ｃを操作して、基準アイコンＩＣ０１１から視覚的に最も近い距離に配置されている照明アイコンＩＣ０１２（すなわち、マップＭ１上で基準アイコンＩＣ１０１との物理的配置が最も近い照明アイコン）をサブアイコンに設定し、このサブアイコンＩＣ０１２に対応する照明端末Ｂのアドレス［０４３］をサブアイコンＩＣ０１２に割り付ける。
【００２５】
基準アイコンＩＣ０１１とサブアイコンＩＣ０１２に、対応する照明端末Ｂのアドレスを割り付ける処理は、上記のようにクライアント端末Ｃが操作されることで行われ、クライアント端末Ｃがアイコン初期設定手段を構成している。図５は、現時点で、対応する照明端末Ｂのアドレスが割り付けられた基準アイコンＩＣ０１１，サブアイコンＩＣ０１２を実線でマップＭ１上に示す。
【００２６】
そして、クライアント端末Ｃにおいてユーザによる自動割付開始操作が行われると、クライアント端末Ｃから、自動割付開始信号とともにマップＭ１のデータ（各照明アイコンＩＣのアイコン番号、各照明アイコンＩＣが配置されている［Ｘ，Ｙ］座標、基準アイコンおよびサブアイコンに割り付けられた照明端末Ｂのアドレス等）が監視サーバＡへ送信され、自動割付開始信号を受信した監視サーバＡでは、監視制御部ａ３がマップＭ１のデータを設定情報記憶部ａ８に格納することで、マップＭ１のデータを参照して以下の処理を行う。
【００２７】
全照明端末Ｂは自己に予め設定されたアドレスを内部のメモリ（図示なし）に記憶しており、自動割付開始信号を受信した監視サーバＡの監視制御部ａ３は、全照明端末Ｂに対して、送信先のアドレスを最小値から１づつ増加させながら順次、点灯／消灯信号を送信する。自己のアドレスを送信先アドレスに設定された点灯／消灯信号を受信した各照明端末Ｂは点灯／消灯信号に基づいて動作した後、自己のアドレスとともに状態信号を監視サーバＡへ返信する。
【００２８】
監視サーバＡのタイマ部ａ７（通信時間計測手段）は、点灯／消灯信号を送信してから状態信号が返信されるまでの通信時間をアドレス毎に計測する。そして、設定情報記憶部ａ８は、図６に示すように、タイマ部ａ７による全照明端末Ｂの各通信時間を、状態信号の返信があった照明端末Ｂのアドレスに対応させて通信時間テーブルＴＢ１内に格納する。なお、図６に示す通信時間テーブルＴＢ１において、照明端末アドレスおよび通信時間の各値はマップＭ１に対応するものであり、以下の説明では、通信時間テーブルＴＢ１という記載は必ずしも図６の各値を含むものではなく、図６のテーブル構造自体を指す場合がある。
【００２９】
また、監視制御部ａ３は、送信先のアドレスを最小値から１づつ増加させながら順次、点灯／消灯信号を送信するために、いずれの照明端末Ｂにも割り付けられていないアドレスに点灯／消灯信号を送信する場合も発生するが、この場合は当該アドレスから状態信号の返信がないので、タイムアウト時間を予め設定しておき、点灯／消灯信号の送信後、タイムアウト時間が経過するまでに状態信号の返信がない場合は当該アドレスからは応答なしと判断して、次のアドレス宛に点灯／消灯信号を送信する。
【００３０】
さらに、監視制御部ａ３は、設定情報記憶部ａ８を参照して、図７に示すように、各照明アイコンＩＣのアイコン番号と、各照明アイコンＩＣに割り付けられる照明端末Ｂのアドレスとを対応付けるアイコン割付テーブルＴＢ２を生成して情報記憶部ａ９に格納しており、計測テーブルＴＢ１に登録されている全照明端末Ｂのアドレスがアイコン割付テーブルＴＢ２に格納される。この時点では、全照明端末Ｂのアドレスのうち、アドレス［０９２］［０４３］のみ、対応する基準アイコンＩＣ０１１とサブアイコンＡ１２との各アイコン番号に割り付けられており、他の照明アイコンＩＣにはアドレスがまだ割り付けられていない。なお、図７に示すアイコン割付テーブルＴＢ２において、アイコン番号および照明端末アドレスの各値はマップＭ１に対応するものであり、以下の説明では、アイコン割付テーブルＴＢ２という記載は必ずしも図７の各値を含むものではなく、図７のテーブル構造自体を指す場合がある。
【００３１】
以降、監視サーバＡの監視制御部ａ３は、残りの照明アイコンＩＣのアドレス割付を図８〜図１１のフローチャートにしたがって自動で行う。まず、基準アイコンＩＣ０１１に対応するアドレス［０９２］の通信時間［２ｍｓ］に最も近い通信時間に対応するアドレスＡＤａ（［０５４］）を、通信時間テーブルＴＢ１から検索し（ステップＳ１）、検索したアドレスＡＤａ（［０５４］）がサブアイコンＩＣ０１２に対応付けられているか否かを判定する（ステップＳ２）。アドレスＡＤａ（［０５４］）がサブアイコンＩＣ０１２に対応付けられていれば、照明監視制御システムの制御線Ｗの配線パターンが図４（ｂ）の横配線であり、アドレスＡＤａ（［０５４］）がサブアイコンＩＣ０１２に対応付けられていなければ、照明監視制御システムの制御線Ｗの配線パターンが図４（ａ）の縦配線であると判断する。すなわち、監視制御部ａ３が配線パターン特定手段を構成している。
【００３２】
（縦配線時の処理）
ここでは、アドレスＡＤａ（［０５４］）がサブアイコンＩＣ０１２のアドレス［０４３］ではないので、監視制御部ａ３は、制御線Ｗの配線パターンが図４（ａ）の縦配線であると判断して、次に、マップＭ１上において、最新の対応済みアイコン（対応する照明端末のアドレスが既に対応付けられている照明アイコンのうち、対応付けが最も新しく行われた照明アイコンのことである。但し、サブアイコンは除かれ、この時点では基準アイコンＩＣ０１１となる）からＹ軸のプラス方向に存在する照明アイコンＩＣのうち、基準アイコンＩＣ０１１に最も近い（つまり、アイコン間の距離差ΔＸ２＋ΔＹ２が最も小さい）照明アイコンＩＣａを検索し（ステップＳ３）、この時点では照明アイコンＩＣａ＝ＩＣ００７が該当する（ステップＳ４）。次に、照明アイコンＩＣ００７からＸ軸のマイナス方向に存在する照明アイコンＩＣｂ’を検索し（但し、対応済みアイコンを除く）（ステップＳ５）、該当する照明アイコンＩＣｂ’が存在するか否かを判断する（ステップＳ６）。この時点では該当する照明アイコンＩＣｂ’がないので、照明アイコンＩＣ００７にアドレスＡＤａ（［０５４］）を割り当て、アイコン割付テーブルＴＢ２に登録する（ステップＳ７）。図１２は、現時点で、対応する照明端末Ｂのアドレスが割り付けられた基準アイコンＩＣ０１１，サブアイコンＩＣ０１２、照明アイコンＩＣ００７を実線で示す。
【００３３】
次に、最新の対応済みアイコン（この時点では照明アイコンＩＣ００７）に対応するアドレス［０５４］の通信時間［５ｍｓ］に最も近い通信時間に対応するアドレスＡＤａ（この時点ではアドレス［０３３］）を、通信時間テーブルＴＢ１から検索する（ステップＳ１０）。そして、照明アイコンＩＣ００７からＹ軸のプラス方向（図１２の領域Ｊ１）に存在する照明アイコンＩＣのうち、照明アイコンＩＣ００７に最も近い照明アイコンＩＣａを検索し（ステップＳ３）、この時点では照明アイコンＩＣａ＝ＩＣ００９が該当する（ステップＳ４）。
【００３４】
次に、照明アイコンＩＣ００９からＸ軸のマイナス方向（図１３の領域Ｊ２）に存在する照明アイコンＩＣｂ’を検索し（但し、対応済みアイコンを除く）（ステップＳ５）、該当する照明アイコンＩＣｂ’が存在するか否かを判断する（ステップＳ６）。この時点では照明アイコンＩＣｂ’として照明アイコン００８，ＩＣ００１が該当する。
【００３５】
次に、照明アイコンＩＣｂ’の中で照明アイコンＩＣ００７に最も近い照明アイコンＩＣｂを検索し（ステップＳ８）、この時点では照明アイコンＩＣｂ＝ＩＣ００８が該当するので、照明アイコンＩＣ００８にアドレスＡＤａ（［０３３］）を割り当て、アイコン割付テーブルＴＢ２に登録する（ステップＳ９）。図１３は、現時点で、対応する照明端末Ｂのアドレスが割り付けられた基準アイコンＩＣ０１１，サブアイコンＩＣ０１２、照明アイコンＩＣ００７，ＩＣ００８を実線で示す。
【００３６】
次に、最新の対応済みアイコン（この時点では照明アイコンＩＣ００８）に対応するアドレス［０３３］の通信時間［７ｍｓ］に最も近い通信時間に対応するアドレスＡＤａ（この時点ではアドレス［０４０］）を、通信時間テーブルＴＢ１から検索し（ステップＳ１０）、ステップＳ３に戻って上記同様の処理を行う。
【００３７】
一方、上記ステップＳ４で、最新の対応済みアイコンからＹ軸のプラス方向に存在する照明アイコンＩＣがない場合、最新の対応済みアイコンがＹ軸のプラス方向の端の折り返し点に配置された照明アイコンＩＣであると判断する。
【００３８】
例えば、説明のため図１４に示すマップＭ２（一部分である）を用いた場合、マップＭ２において照明アイコンＩＣ０２０〜ＩＣ０２５が配置されており、対応済みアイコンＩＣ０２０，ＩＣ０２１のうち、最新の対応済みアイコンがＩＣ２１である場合、照明アイコンＩＣ０２１からＹ軸のプラス方向に存在する照明アイコンＩＣはない。そこで、照明アイコン０２１からＸ軸のプラス方向且つＹ軸のマイナス方向（図１４の領域Ｊ１１）に存在する照明アイコンＩＣのうち、照明アイコンＩＣ０２１に最も近い照明アイコンＩＣｃを検索し（ステップＳ１１）、この時点では照明アイコンＩＣｃ＝ＩＣ０２５が該当する（ステップＳ１２）。
【００３９】
次に、照明アイコンＩＣ０２５からＸ軸のマイナス方向（図１５の領域Ｊ１２）に存在する照明アイコンＩＣｄ’を検索し（但し、対応済みアイコンを除く）（ステップＳ１３）、該当する照明アイコンＩＣｄ’が存在するか否かを判断する（ステップＳ１４）。この時点では照明アイコンＩＣｄ’として照明アイコンＩＣ０２２，ＩＣ０２３が該当する。
【００４０】
次に、照明アイコンＩＣｄ’の中で照明アイコンＩＣ０２１に最も近い照明アイコンＩＣｄを検索し（ステップＳ１５）、この時点では照明アイコンＩＣｄ＝ＩＣ０２２が該当するので、照明アイコンＩＣ０２２にアドレスＡＤａを割り当て、マップＭ２に対応したアイコン割付テーブルＴＢ２に登録する（ステップＳ１６）。
【００４１】
一方、上記ステップＳ１４において、照明アイコンＩＣ０２５からＸ軸のマイナス方向に存在する照明アイコンＩＣｄ’がなければ、照明アイコンＩＣ０２５にアドレスＡＤａを割り当て、アイコン割付テーブルＴＢ２に登録する（ステップＳ１７）。
【００４２】
また、上記ステップＳ１２において、照明アイコン０２１からＸ軸のプラス方向且つＹ軸のマイナス方向（図１４の領域Ｊ１１）に照明アイコンＩＣが存在しない場合は、照明アイコンＩＣと照明端末Ｂのアドレスとの対応付け処理を終了する（ステップＳ１８）。
【００４３】
次に、上記ステップＳ１６，Ｓ１７の処理後、最新の対応済みアイコン（この時点では照明アイコンＩＣ０２２）に対応するアドレスの通信時間に最も近い通信時間に対応するアドレスＡＤａを、通信時間テーブルＴＢ１から検索する（ステップＳ１９）。そして、照明アイコンＩＣ０２２からＹ軸のマイナス方向に存在する照明アイコンＩＣのうち、照明アイコンＩＣ０２２に最も近い照明アイコンＩＣｅを検索し（ステップＳ２０）、この時点では照明アイコンＩＣｅ＝ＩＣ０２４が該当する（ステップＳ２１）。
【００４４】
次に、照明アイコンＩＣ０２４からＸ軸のマイナス方向に存在する照明アイコンＩＣｆ’を検索し（但し、対応済みアイコンを除く）（ステップＳ２２）、該当する照明アイコンＩＣｆ’が存在するか否かを判断する（ステップＳ２３）。この時点では照明アイコンＩＣｆ’として照明アイコンＩＣ０２３が存在している。
【００４５】
次に、照明アイコンＩＣｆ’の中で照明アイコンＩＣ０２２に最も近い照明アイコンＩＣｆを検索し（ステップＳ２４）、この時点では照明アイコンＩＣｆ＝ＩＣ０２３が該当するので、照明アイコンＩＣ０２３にアドレスＡＤａを割り当て、アイコン割付テーブルＴＢ２に登録する（ステップＳ２５）。
【００４６】
また、上記ステップＳ２３において、照明アイコンＩＣ０２４からＸ軸のマイナス方向に存在する照明アイコンＩＣｆ’がなければ、照明アイコンＩＣ０２４にアドレスＡＤａを割り当て、アイコン割付テーブルＴＢ２に登録する（ステップＳ２６）。
【００４７】
一方、上記ステップＳ２１で、最新の対応済みアイコンからＹ軸のマイナス方向に存在する照明アイコンＩＣがない場合、最新の対応済みアイコンがＹ軸のマイナス方向の端の折り返し点に配置された照明アイコンであると判断する。そこで、最新の対応済みアイコンからＸ軸のプラス方向且つＹ軸のプラス方向に存在する照明アイコンＩＣのうち、最新の対応済みアイコンに最も近い照明アイコンＩＣｇを検索し（ステップＳ２７）、照明アイコンＩＣｇが存在するか否かを判断し（ステップＳ２８）、照明アイコンＩＣｇが存在しない場合は、照明アイコンＩＣと照明端末Ｂのアドレスとの対応付け処理を終了する（ステップＳ３４）。
【００４８】
照明アイコンＩＣｇが存在する場合は、照明アイコンＩＣｇからＸ軸のマイナス方向に存在する照明アイコンＩＣｈ’を検索し（但し、対応済みアイコンを除く）（ステップＳ２９）、該当する照明アイコンＩＣｈ’が存在するか否かを判断する（ステップＳ３０）。該当する照明アイコンＩＣｈ’が存在すれば、照明アイコンＩＣｈ’の中で最新の対応済みアイコンに最も近い照明アイコンＩＣｈを検索し（ステップＳ３１）、照明アイコンＩＣｈにアドレスＡＤａを割り当て、アイコン割付テーブルＴＢ２に登録する（ステップＳ３２）。
【００４９】
一方、上記ステップＳ３０において、照明アイコンＩＣｇからＸ軸のマイナス方向に存在する照明アイコンＩＣｈ’がなければ、照明アイコンＩＣｇにアドレスＡＤａを割り当て、アイコン割付テーブルＴＢ２に登録する（ステップＳ３３）。
【００５０】
そして、上記ステップＳ３２，Ｓ３３の処理後、ステップＳ１０に戻って、縦配線時における上記処理を繰り返す。
【００５１】
（横配線時の処理）
次に、上記ステップＳ２において、アドレスＡＤａがサブアイコンであれば、監視制御部ａ３は、照明監視制御システムの制御線Ｗの配線パターンが図４（ｂ）の横配線であると判断して、以下の処理を行う。
【００５２】
まず、最新の対応済みアイコン（この時点では基準アイコン）からＸ軸のプラス方向に存在する照明アイコンＩＣのうち、最新の対応済みアイコンに最も近い（つまり、アイコン間の距離差ΔＸ２＋ΔＹ２が最も小さい）照明アイコンＩＣａを検索し（ステップＳ４３）、照明アイコンＩＣａが存在するか否かを判断する（ステップＳ４４）。照明アイコンＩＣａが存在すれば、照明アイコンＩＣａからＹ軸のマイナス方向に存在する照明アイコンＩＣｂ’を検索し（但し、対応済みアイコンを除く）（ステップＳ４５）、該当する照明アイコンＩＣｂ’が存在するか否かを判断する（ステップＳ４６）。照明アイコンＩＣｂ’が存在すれば、照明アイコンＩＣｂ’の中で最新の対応済みアイコンに最も近い照明アイコンＩＣｂを検索し（ステップＳ４７）、照明アイコンＩＣｂにアドレスＡＤａを割り当て、アイコン割付テーブルＴＢ２に登録する（ステップＳ４８）。
【００５３】
上記ステップＳ４６において、照明アイコンＩＣａからＹ軸のマイナス方向に存在する照明アイコンＩＣｂ’がなければ、照明アイコンＩＣａにアドレスＡＤａを割り当て、アイコン割付テーブルＴＢ２に登録する（ステップＳ４９）。
【００５４】
次に、上記新たに設定された最新の対応済みアイコンに対応するアドレスの通信時間に最も近い通信時間に対応するアドレスＡＤａを、通信時間テーブルＴＢ１から検索し（ステップＳ５０）、ステップＳ４３に戻って上記同様の処理を行う。
【００５５】
一方、上記ステップＳ４４で、最新の対応済みアイコンからＸ軸のプラス方向に存在する照明アイコンＩＣがない場合、最新の対応済みアイコンがＸ軸のプラス方向の端の折り返し点に配置された照明アイコンであると判断して、最新の対応済みアイコンからＸ軸のマイナス方向且つＹ軸のプラス方向に存在する照明アイコンＩＣのうち、最新の対応済みアイコンに最も近い照明アイコンＩＣｃを検索し（ステップＳ５１）、該当する照明アイコンＩＣｃが存在するか否かを判断する（ステップＳ５２）。
【００５６】
次に、照明アイコンＩＣｃからＸ軸のマイナス方向に存在する照明アイコンＩＣｄ’を検索し（但し、対応済みアイコンを除く）（ステップＳ５３）、該当する照明アイコンＩＣｄ’が存在するか否かを判断する（ステップＳ５４）。そして、照明アイコンＩＣｄ’の中で最新の対応済みアイコンに最も近い照明アイコンＩＣｄを検索し（ステップＳ５５）、照明アイコンＩＣｓに、アドレスＡＤａを割り当て、アイコン割付テーブルＴＢ２に登録する（ステップＳ５６）。
【００５７】
一方、上記ステップＳ５４において、照明アイコンＩＣｃからＸ軸のマイナス方向に存在する照明アイコンＩＣｄ’がなければ、照明アイコンＩＣｃにアドレスＡＤａを割り当て、アイコン割付テーブルＴＢ２に登録する（ステップＳ５７）。
【００５８】
また、上記ステップＳ５２において、最新の対応済みアイコンからＸ軸のマイナス方向且つＹ軸のプラス方向に照明アイコンＩＣが存在しない場合は、照明アイコンＩＣと照明端末Ｂのアドレスとの対応付け処理を終了する（ステップＳ５８）。
【００５９】
次に、上記ステップＳ５６，Ｓ５７の処理後、最新の対応済みアイコンに対応するアドレスの通信時間に最も近い通信時間に対応するアドレスＡＤａを、通信時間テーブルＴＢ１から検索する（ステップＳ５９）。そして、最新の対応済みアイコンからＸ軸のマイナス方向に存在する照明アイコンＩＣのうち、最新の対応済みアイコンに最も近い照明アイコンＩＣｅを検索し（ステップＳ６０）、該当する照明アイコンＩＣｅが存在するか否かを判断する（ステップＳ６１）。
【００６０】
次に、照明アイコンＩＣｅからＹ軸のマイナス方向に存在する照明アイコンＩＣｆ’を検索し（但し、対応済みアイコンを除く）（ステップＳ６２）、該当する照明アイコンＩＣｆ’が存在するか否かを判断する（ステップＳ６３）。そして、照明アイコンＩＣｆ’が存在すれば、照明アイコンＩＣｆ’の中で最新の対応済みアイコンに最も近い照明アイコンＩＣｆを検索し（ステップＳ６４）、照明アイコンＩＣｆにアドレスＡＤａを割り当て、アイコン割付テーブルＴＢ２に登録する（ステップＳ６５）。
【００６１】
また、上記ステップＳ６３において、照明アイコンＩＣｅからＹ軸のマイナス方向に存在する照明アイコンＩＣｆ’がなければ、照明アイコンＩＣｅにアドレスＡＤａを割り当て、アイコン割付テーブルＴＢ２に登録する（ステップＳ６６）。
【００６２】
一方、上記ステップＳ６１で、最新の対応済みアイコンからＸ軸のマイナス方向に存在する照明アイコンＩＣｅがない場合、最新の対応済みアイコンがＸ軸のマイナス方向の端の折り返し点に配置された照明アイコンであると判断する。そこで、最新の対応済みアイコンからＸ軸のプラス方向且つＹ軸のプラス方向に存在する照明アイコンＩＣのうち、最新の対応済みアイコンに最も近い照明アイコンＩＣｇを検索し（ステップＳ６７）、照明アイコンＩＣｇが存在するか否かを判断し（ステップＳ６８）、照明アイコンＩＣｇが存在しない場合は、照明アイコンＩＣと照明端末Ｂのアドレスとの対応付け処理を終了する（ステップＳ７４）。
【００６３】
照明アイコンＩＣｇが存在する場合は、照明アイコンＩＣｇからＹ軸のマイナス方向に存在する照明アイコンＩＣｈ’を検索し（但し、対応済みアイコンを除く）（ステップＳ６９）、該当する照明アイコンＩＣｈ’が存在するか否かを判断する（ステップＳ７０）。該当する照明アイコンＩＣｈ’が存在すれば、照明アイコンＩＣｈ’の中で最新の対応済みアイコンに最も近い照明アイコンＩＣｈを検索し（ステップＳ７１）、照明アイコンＩＣｈにアドレスＡＤａを割り当て、アイコン割付テーブルＴＢ２に登録する（ステップＳ７２）。
【００６４】
一方、上記ステップＳ７０において、照明アイコンＩＣｇからＹ軸のマイナス方向に存在する照明アイコンＩＣｈ’が存在しなければ、照明アイコンＩＣｇにアドレスＡＤａを割り当て、アイコン割付テーブルＴＢ２に登録する（ステップＳ７３）。
【００６５】
そして、上記ステップＳ７２，Ｓ７３の処理後、ステップＳ５０に戻って、横配線時における上記処理を繰り返す。
【００６６】
而して、監視サーバＡの監視制御部ａ３が、マップＭ上で特定された配線パターンと、マップＭ上における各照明アイコンＩＣの物理的配置と、各照明端末Ｂの通信時間とに基づいて、各照明端末Ｂに対応するアイコンＩＣを特定し、対応する照明端末Ｂのアドレスを各照明アイコンＩＣに割り付けるアドレス割付手段を構成することによって、設定情報記憶部ａ９内のアイコン割付テーブルＴＢ２において、各照明アイコンＩＣ（アイコン番号）と、各照明アイコンＩＣに割り付けられた照明端末Ｂのアドレスとの対応付けが、全てのアイコン番号において完了する。そして、監視制御部ａ３は、対応付け処理が完了した時点で、アイコン割付テーブルＴＢ２の情報を送受信部ａ１からクライアント端末Ｃへ送信する。
【００６７】
クライアント端末Ｃは、受信したアイコン割付テーブルＴＢ２の情報に基づいて、表示部ｃａ上に表示したマップＭ１に配置した照明アイコンＩＣに、対応する照明端末Ｂのアドレスを割り付け、以降は、照明端末Ｂの実際の物理的配置に対応してマップＭ１の見取り図上に配置された照明アイコンＩＣをクリックすることによって、当該照明アイコンＩＣに対応した照明端末Ｂの監視制御を行う。
【００６８】
このように、本実施形態の端末アドレス割付システムは、ユーザが最初に基準アイコンとサブアイコンを設定し、基準アイコンとサブアイコンとに対応する照明端末Ｂのアドレスを手動で割り付ければ、残りの照明アイコンＩＣに対応する照明端末Ｂのアドレスを設定する処理は、監視サーバＡの監視制御部ａ３が、複数の照明端末Ｂ間を縦方向に制御線Ｗを送り配線した縦配線（図４（ａ）参照）、または複数の照明端末Ｂ間を横方向に制御線Ｗを送り配線した横配線（図４（ｂ）参照）の配線パターンを自動で判別して、配線パターンに応じた照明アイコンＩＣと照明端末Ｂのアドレスとの対応付け処理を自動で行うので、照明アイコンＩＣへのアドレス割り付け作業の手間が軽減でき、処理時間を短縮することができる。
【００６９】
また、本実施形態の端末アドレス割付システムは、ユーザによる照明アイコンＩＣへのアドレスの割り付け作業の手間をできるだけ軽減させることを技術思想としており、縦配線または横配線の照明監視制御システムに用いて、各照明アイコンＩＣに確からしいアドレスを推定して割り付けている。なお、本端末アドレス割付システムを用いてアドレスの割り付けにエラーが発生した場合は、最初にエラーが発生した照明アイコンＩＣのアドレス割り付けをユーザが手動で訂正した後、当該訂正した照明アイコンＩＣを最新の対応済みアイコンとして、上記処理を再度行えばよい。
【００７０】
また、本実施形態では、監視制御の対象となる機能端末として照明端末を例示したが、照明以外の機能を有する機能端末であってもよい。
【図面の簡単な説明】
【００７１】
【図１】実施形態の端末アドレス割付システムの構成を示す図である。
【図２】同上のクライアント端末に表示されるマップを示す図である。
【図３】（ａ）（ｂ）同上の照明アイコンを示す図である。
【図４】（ａ）（ｂ）同上の照明端末間の配線形態を示す図である。
【図５】同上の照明アイコンと照明端末のアドレスとの対応付け処理を示す図である。
【図６】同上の通信時間テーブルの構造を示す図である。
【図７】同上のアイコン割付テーブルの構造を示す図である。
【図８】同上の照明アイコンと照明端末のアドレスとの対応付け処理のフローチャートを示す図である。
【図９】同上の照明アイコンと照明端末のアドレスとの対応付け処理のフローチャートを示す図である。
【図１０】同上の照明アイコンと照明端末のアドレスとの対応付け処理のフローチャートを示す図である。
【図１１】同上の照明アイコンと照明端末のアドレスとの対応付け処理のフローチャートを示す図である。
【図１２】同上の照明アイコンと照明端末のアドレスとの対応付け処理を示す図である。
【図１３】同上の照明アイコンと照明端末のアドレスとの対応付け処理を示す図である。
【図１４】同上の照明アイコンと照明端末のアドレスとの対応付け処理を示す図である。
【図１５】同上の照明アイコンと照明端末のアドレスとの対応付け処理を示す図である。
【図１６】従来の照明監視制御システムの構成を示す図である。
【図１７】同上のクライアント端末に表示されるマップを示す図である。
【図１８】同上のクライアント端末に表示されるアドレス設定画面を示す図である。
【符号の説明】
【００７２】
Ａ  監視サーバ
Ｂ  照明端末
ａ１  送受信部
ａ２  データ生成部
ａ３  監視制御部
ａ４  端末装置状態制御部
ａ５  端末装置状態取得部
ａ６  監視状態記憶部
ａ７  タイマ部
ａ８，ａ９設定情報記憶部
Ｃ  クライアント端末
ｃａ  表示部
【図１】
2009177743.tif 000003
【図２】
2009177743.tif 000004
【図３】
2009177743.tif 000005
【図４】
2009177743.tif 000006
【図５】
2009177743.tif 000007
【図６】
2009177743.tif 000008
【図７】
2009177743.tif 000009
【図８】
2009177743.tif 000010
【図９】
2009177743.tif 000011
【図１０】
2009177743.tif 000012
【図１１】
2009177743.tif 000013
【図１２】
2009177743.tif 000014
【図１３】
2009177743.tif 000015
【図１４】
2009177743.tif 000016
【図１５】
2009177743.tif 000017
【図１６】
2009177743.tif 000018
【図１７】
2009177743.tif 000019
【図１８】
2009177743.tif 000020